(57)【要約】【課題】記録部の記録領域の有効利用を図るとともに、ユーザの使い勝手を向上させる。【解決手段】本実施形態のディジタル放送記録装置は、予め設定された記録品質に基づいて、所定のチャンネルのコンテンツを記憶手段に記録する記録手段と、前記記録手段で記録されたコンテンツのうちユーザがどのようなコンテンツを視聴したかを示す視聴履歴データを取得する取得手段と、前記取得手段で取得した視聴履歴データを参照し、ユーザの推奨記録品質に設定する設定手段と、を有する。【選択図】図１
2013016882.tif 000002
【特許請求の範囲】
【請求項１】
予め設定された記録品質に基づいて、所定のチャンネルのコンテンツを記憶手段に記録する記録手段と、
前記記録手段で記録されたコンテンツのうちユーザがどのようなコンテンツを視聴したかを示す視聴履歴データを取得する取得手段と、
前記取得手段で取得した視聴履歴データを参照し、ユーザの推奨記録品質に設定する設定手段と、
を有するディジタル放送記録装置。
【請求項２】
前記設定手段で設定される推奨記録品質をユーザに提示する提示手段、
を更に有する、請求項１に記載のディジタル放送記録装置。
【請求項３】
前記提示手段は、前記視聴履歴データに基づいて、ジャンル毎に、各ジャンルに属する全コンテンツの中で、実際にユーザによって視聴されたコンテンツの割合が所定の閾値以下であると判定されたジャンルの推奨記録品質を提示する、請求項２に記載のディジタル放送記録装置。
【請求項４】
前記提示手段は、前記視聴履歴データに基づいて、一定期間中に、ユーザがコンテンツを視聴した割合が所定の閾値以下であると判定された曜日の推奨記録品質を提示する、請求項２に記載のディジタル放送記録装置。
【請求項５】
前記提示手段は、前記視聴履歴データに基づいて、一定期間中に、ユーザがコンテンツを視聴した割合が所定の閾値以下であると判定された時間帯の推奨記録品質を提示する、請求項２に記載のディジタル放送記録装置。
【請求項６】
前記推奨記録品質は、前記記録手段による最大記録可能時間を延長可能な記録品質である、請求項１〜５のいずれか一項に記載のディジタル放送記録装置。
【請求項７】
キーワードを登録する登録手段と、
前記登録手段で登録されたキーワードに関連するコンテンツの記録品質を、ユーザが指定した記録品質に設定する記録品質設定手段と、
を更に有する、請求項１〜６のいずれか一項に記載のディジタル放送記録装置。
【請求項８】
コマーシャルメッセージ（ＣＭ）の記録品質を、前記記録手段による最大記録可能時間を延長可能な記録品質に指定する指定手段と、
前記指定手段の指定に基づいて、前記コマーシャルメッセージ（ＣＭ）の記録品質を前記記録手段による最大記録可能時間を延長可能な記録品質に設定するＣＭ記録品質設定手段と、
を有する、請求項１〜６のいずれか一項に記載のディジタル放送記録装置。
【請求項９】
ディジタル放送記録装置で実行されるディジタル方法記録方法であって、
記録手段が、予め設定された記録品質に基づいて、所定のチャンネルのコンテンツを記憶手段に記録する記録ステップと、
取得手段が、前記記録ステップで記録されたコンテンツのうちユーザがどのようなコンテンツを視聴したかを示す視聴履歴データを取得する取得ステップと、
設定手段が、前記取得ステップで取得した視聴履歴データを参照し、ユーザの推奨記録品質に設定する設定ステップと、
を含むディジタル放送記録方法。
【請求項１０】
コンピュータを、
予め設定された記録品質に基づいて、所定のチャンネルのコンテンツを記憶手段に記録する記録手段と、
前記記録手段で記録されたコンテンツのうちユーザがどのようなコンテンツを視聴したかを示す視聴履歴データを取得する取得手段と、
前記取得手段で取得した視聴履歴データを参照し、ユーザの推奨記録品質に設定する設定手段と、
して機能させる制御プログラム。
【発明の詳細な説明】
【技術分野】
【０００１】
本発明の実施形態は、ディジタル放送記録装置、ディジタル放送記録方法および制御プログラムに関する。
【背景技術】
【０００２】
近年、同一時間帯の複数チャンネル（例えば、６チャネル）の番組（コンテンツ）を同時録画する機能によって、２４時間（１日）や３０時間など所定時間分の複数チャネルの番組を録画し、過去に遡って見たい番組を自由に視聴することが可能なタイムシフト機能を有するディジタル放送受信装置が知られている。
【先行技術文献】
【特許文献】
【０００３】
【特許文献１】特開２００８−０２２４９６号公報
【特許文献２】特開２００９−２３９９３６号公報
【発明の概要】
【発明が解決しようとする課題】
【０００４】
しかしながら、前述のディジタル放送受信装置では、予め自動的に設定されている録画ビットレートで録画を行っているため、番組によっては必要以上の録画ビットレートで録画されることになってしまい、番組（コンテンツ）を記録する記録部の記録領域を有効に利用できず、番組を記録するため記録部の記録容量が無駄に消費されるなどして、前述の録画する機能による最大記録可能時間が短くなり、ユーザの使い勝手を低下させるなどの課題があった。
【０００５】
そこで、本発明は、前記課題に鑑みてなされたものであり、記録部の記録領域の有効利用を図るとともに、ユーザの使い勝手を向上させることが可能なディジタル放送記録装置、ディジタル放送記録方法および制御プログラムを提供することを目的とする。
【課題を解決するための手段】
【０００６】
本実施形態のディジタル放送記録装置は、予め設定された記録品質に基づいて、所定のチャンネルのコンテンツを記憶手段に記録する記録手段と、前記記録手段で記録されたコンテンツのうちユーザがどのようなコンテンツを視聴したかを示す視聴履歴データを取得する取得手段と、前記取得手段で取得した視聴履歴データを参照し、ユーザの推奨記録品質に設定する設定手段と、を有する。
【図面の簡単な説明】
【０００７】
【図１】図１は、実施形態のテレビジョン受信装置の一構成例を示すブロック図である。
【図２】図２は、本実施形態のチューナの詳細構成例を示すブロック図である。
【図３】図３は、テレビジョン受信装置における処理動作を示すフローチャートである。
【図４】図４は、表示部に表示される設定画面の一構成例を示す模式図である。
【図５】図５は、表示部に表示される設定画面の一構成例を示す模式図である。
【図６】図６は、表示部に表示される設定画面の一構成例を示す模式図である。
【図７】図７は、表示部に表示される設定画面の一構成例を示す模式図である。
【図８】図８は、表示部に表示される設定画面の一構成例を示す模式図である。
【図９】図９は、現在番組表の一構成例を示す図である。
【図１０】図１０は、表示部に表示される設定画面の一構成例を示す模式図である。
【図１１】図１１は、ユーザが視聴していない曜日と時間帯を概念的に示す模式図である。
【図１２】図１２は、現在番組表の一構成例を示す図である。
【図１３】図１３は、表示部に表示される設定画面の一構成例を示す模式図である。
【図１４】図１４は、表示部に表示される設定画面の一構成例を示す模式図である。
【図１５】図１５は、表示部に表示される設定画面の一構成例を示す模式図である。
【図１６】図１６は、現在番組表の一構成例を示す模式図である。
【図１７】図１７は、過去番組表の一構成例を示す模式図である。
【発明を実施するための形態】
【０００８】
以下、添付図面を参照しながら、本発明にかかるディジタル放送記録装置およびディジタル放送記録方法の実施の形態を詳細に説明する。なお、以下の説明においては、ディジタル放送記録装置の一例として、録画機能を備えたテレビジョン受信装置を例にとり説明する。
【０００９】
（第１の実施形態）
まず、実施形態のテレビジョン受信装置の構成について説明する。
【００１０】
図１は、実施形態のテレビジョン受信装置の構成の一例を示すブロック図である。
【００１１】
図１に示すように、テレビジョン受信装置１００は、チューナ部１０１、録画再生部１０５、ＨＤＤ（Hard  Disk  Drive）１１０、ＥＰＧ（Electric  Program  Guide）処理部１１２、ＥＰＧメモリ１１３、ＭＰＥＧ（Moving  Picture  Experts  Group）デコーダ１１４、表示制御部１１５、リモコン受信部１１６およびシステムコントローラ１１７を備える。
【００１２】
ここで、システムコントローラ１１７および録画再生部１０５は、記録管理制御部として機能している。
【００１３】
チューナ部１０１は、番組などのコンテンツデータや制御データが多重化されたコンテンツデータとしてのトランスポートストリーム（Transport  Stream）を放送局から受信する。
【００１４】
本実施形態では、チューナ部１０１は、チューナ１０１−１〜１０１−Ｎ（Ｎは自然数）を備えており、それぞれチャンネルＣｈ１〜ＣｈＮのトランスポートストリームを受信する。そして、チューナ１０１−１〜１０１−Ｎは、それぞれチャンネルＣｈ１〜ＣｈＮのトランスポートストリームを録画再生部１０５およびＥＰＧ処理部１１２に出力する。
【００１５】
ここで、本実施形態のチューナ１０１−１〜１０１−Ｎの詳細について説明する。
チューナ１０１−１〜１０１−Ｎは、同様の構成であるため、チューナ１０１−１を例として説明する。
【００１６】
図２は、本実施形態のチューナの詳細構成例を示すブロック図である。
【００１７】
図２に示すように、チューナ１０１−１は、選局部２０１と、分離部２０２と、デスクランブラ２０３と、分離部２０４と、ＩＣカード２０６とを備える。
【００１８】
選局部２０１は、アンテナ入力を選局し、選局したチャンネルのトランスポートストリームを分離部２０２およびデスクランブラ２０３に出力する。
【００１９】
分離部２０２は、選局部２０１から入力されたトランスポートストリームに多重されている制御データＥＣＭを分離し、分離した制御データＥＣＭをＩＣカード２０６に出力する。また、分離部２０２は、選局部２０１から入力されたトランスポートストリームを分離部２０４に出力する。
【００２０】
分離部２０４は、分離部２０２から入力されたトランスポートストリームに多重されている制御データＥＭＭを分離し、分離した制御データＥＭＭをＩＣカード２０６に出力する。
【００２１】
ＩＣカード２０６は、分離部２０２から入力された制御データＥＣＭおよび分離部２０４から入力された制御データＥＭＭを用いてスクランブル鍵を復号する。デスクランブラ２０３は、ＩＣカード２０６で復号されたスクランブル鍵を用いてトランスポートストリームに多重されているコンテンツデータをデスクランブルし、出力する。
【００２２】
なお、本実施形態では、チューナ１０１−１〜１０１−ＮそれぞれにＩＣカード２０６が備えられているが、複数のチューナがＩＣカードを兼用するようにしても良い。
【００２３】
図１に戻って、録画再生部１０５は、記録対象チャンネルＣｈ１〜ＣｈＮのトランスポートストリームからコンテンツデータを抽出して、録画や再生を行うものであり、ループ録画部１０６と、ＰＶＲ録画部１０７と、変更部１０８と、再生部１０９とを備える。
【００２４】
ループ録画部１０６は、概念的にループ状に形成されている録画領域に連続して録画を行い、既に録画済の領域に録画を行う場合には上書録画を行うループ録画方式を採用している。例えば、２４時間などの所定時間連続的にＨＤＤ１１０にコンテンツデータを録画する。ここで、ＨＤＤ１１０は、ループ録画領域１１０ＡおよびＰＶＲ録画領域１１０Ｂを備えている。
【００２５】
そして、ループ録画部１０６は、ＨＤＤ１１０のループ録画領域１１０Ａの先頭から順にコンテンツデータを録画し、末尾まで録画すると、再度先頭から録画（上書き）する。
【００２６】
また、ループ録画部１０６は、ＨＤＤ１１０のループ録画領域１１０Ａに録画されたコンテンツデータを一定の時間経過後に消去するようにすることも可能である。また、ループ録画部１０６は、ループ録画領域１１０Ａに録画されたコンテンツデータの容量が所定の容量を超えた場合に消去するようにすることも可能である。
【００２７】
また、ループ録画部１０６は、後述のシステムコントローラ１１７からループ録画方式で録画を行う時間帯の指定を受け付け、指定された時間帯内にチューナ部１０１に受信される複数のストリームをループ録画方式でＨＤＤ１１０のループ録画領域１１０Ａに録画する。また、ループ録画部１０６は、システムコントローラ１１７からループ録画方式で録画を行う複数のチャンネルの指定を受け付け、指定された複数のチャンネルの複数のストリームをループ録画方式でＨＤＤ１１０のループ録画領域１１０Ａに録画する。
【００２８】
ＰＶＲ録画部１０７は、通常の録画方式であるＰＶＲ録画方式でＨＤＤ１１０にストリームを録画する。具体的には、ＰＶＲ録画部１０７は、ＨＤＤ１１０のＰＶＲ録画領域１１０Ｂにストリームを録画する。なお、ＰＶＲ録画部１０７は、システムコントローラ１１７から消去が指示されるまで、ＰＶＲ録画領域１１０Ｂに録画されたストリームを消去せず、保存する。
【００２９】
なお、ループ録画部１０６およびＰＶＲ録画部１０７は、ストリームを録画した番組のチャンネルを示すチャンネル情報、ストリームを録画した番組の番組名、ストリームを録画した録画日時、コンテンツデータの再生履歴などの情報をストリームに付加して、ＨＤＤ１１０のループ録画領域１１０ＡあるいはＰＶＲ録画領域１１０Ｂへ記録する。
【００３０】
変更部１０８は、ループ録画方式で録画されたストリーム（コンテンツデータ）の録画方式をＰＶＲ録画方式に変更する。具体的には、変更部１０８は、ループ録画領域１１０Ａに録画されているコンテンツデータをＰＶＲ録画領域１１０Ｂに移動したり、コピーしたりする。この際、変更部１０８は、コピー制御情報を更新する。これにより、ループ録画領域１１０ＡからＰＶＲ録画領域１１０Ｂに移動またはコピーされたストリームを判別できるようになっている。
【００３１】
再生部１０９は、記録対象チャンネルＣｈ１〜ＣｈＮのトランスポートストリームから抽出したコンテンツデータやＨＤＤ１１０に録画されたコンテンツデータを再生するため、ＭＰＥＧデコーダ１１４に出力する。
【００３２】
ＥＰＧ処理部１１２は、記録対象チャンネルＣｈ１〜ＣｈＮのトランスポートストリームから、各チャンネルの各時間帯の番組を示す番組情報（ＳＩ情報）であるＥＰＧ情報を抽出し、ＥＰＧメモリ１１３に記憶する。また、ＥＰＧ処理部１１２は、ＥＰＧメモリ１１３に記憶されているＥＰＧ情報を常に新しい内容に更新するため、Ｃｈ１〜ＣｈＮのトランスポートストリームからＥＰＧ情報を抽出し、抽出したＥＰＧ情報でＥＰＧメモリ１１３に記憶されているＥＰＧ情報を更新する。
【００３３】
なお、本実施形態では、日本の地上ディジタル放送のように記録対象チャンネルＣｈ１〜ＣｈＮの各トランスポートストリームから各チャンネルのＥＰＧ情報を抽出するものとするが、これに限定するものではない。例えば、ＢＳ（Broadcasting  Satellite）ディジタル放送のように各チャンネルにＢＳ全チャンネルのＥＰＧ情報が多重されている場合もある。いずれにしても、ＥＰＧ処理部１１２は、自装置で受信可能なチャンネル数分のＥＰＧ情報を抽出し、ＥＰＧメモリ１１３に記憶する。
【００３４】
また、ＥＰＧ処理部１１２は、システムコントローラ１１７から番組表の表示指示を受け、ＥＰＧメモリ１１３に記憶されているＥＰＧ情報を取得し、取得したＥＰＧ情報をチャンネル毎に時系列に並べた番組表の番組表データを表示制御部１１５に出力する。
【００３５】
ＭＰＥＧデコーダ１１４は、録画再生部１０５から入力されたトランスポートストリームにＭＰＥＧ２デコード処理を施し、表示制御部１１５に出力する。
【００３６】
表示制御部１１５は、ＥＰＧ処理部１１２から出力された番組表データやＭＰＥＧデコーダ１１４から出力されたトランスポートストリームを、テレビジョン信号として、表示部１２０に出力する。
【００３７】
また本実施形態では、ループ録画方式で録画されたトランスポートストリームの一覧は、ＥＰＧ処理部１１２により番組表形式で作成され、表示制御部１１５により表示部１２０に表示される。また、ＰＶＲ録画方式で録画されたトランスポートストリームの一覧は、録画再生部１０５により作成され、表示制御部１１５により表示部１２０に表示される。
【００３８】
そして表示制御部１１５は、ループ録画方式で録画されたトランスポートストリームの一覧、またはＰＶＲ録画方式で録画されたトランスポートストリームの一覧を表示部１２０に表示する際、変更部１０８によりループ録画方式からＰＶＲ録画方式に変更されたトランスポートストリームを他のトランスポートストリームと異なる表示態様で表示する。
【００３９】
具体的には、表示制御部１１５は、ループ録画方式で録画されたトランスポートストリームの一覧、またはＰＶＲ録画方式で録画されたトランスポートストリームの一覧を表示部１２０に表示する際、ループ録画領域１１０ＡからＰＶＲ録画領域１１０Ｂに移動またはコピーされたトランスポートストリームにマークなどのシンボルを付して表示する。
【００４０】
表示部１２０は、表示制御部１１５から入力されたテレビジョン信号に基づいて番組を表示したり、ループ録画方式で録画されたトランスポートストリームの一覧やＰＶＲ録画方式で録画されたトランスポートストリームの一覧を表示したりする。なお、表示部１２０は、液晶ディスプレイ、プラズマディスプレイ、または有機ＥＬディスプレイなどにより実現できる。
【００４１】
リモコン受信部１１６は、リモコン１３０から、ループ録画方式で記録（録画）を行う時間帯やチャンネルの指定、ＰＶＲ録画方式での記録（録画）指示、ＰＶＲ録画方式で記録（録画）されたコンテンツデータの削除指示、ループ録画領域１１０ＡからＰＶＲ録画領域１１０Ｂへのトランスポート（コンテンツデータ）の移動やコピーの指示、ＨＤＤ１１０に録画されたトランスポートストリームの再生指示、ループ録画領域１１０Ａに録画されている番組の一覧やＰＶＲ録画領域１１０Ｂに録画されている番組の一覧の表示指示などを受け付け、システムコントローラ１１７へ通知する。
【００４２】
システムコントローラ１１７は、テレビジョン受信装置１００全体を制御する。例えば、システムコントローラ１１７は、リモコン受信部１１６からの通知を受け、テレビジョン受信装置１００の各部にリモコン受信部１１６からの通知に応じた制御や指示を行う。
【００４３】
また、本実施形態では、ＨＤＤ１１０は、ループ録画部１０６でＨＤＤのループ録画領域１１０Ａに格納されたトランスポートストリームから抽出したコンテンツ（番組）のユーザの視聴履歴を示す視聴履歴データを記憶する視聴履歴データ記憶領域１１０Ｃを有している。
【００４４】
ここで、視聴履歴データとは、ループ録画により録画（記録）されたコンテンツ（番組）のうちユーザがどのようなコンテンツ（番組）を視聴したかを示すデータであり、より具体的には、ユーザが何曜日のどのチャンネルのどの番組を視聴したかを示すデータである。
【００４５】
次に、前記説明したテレビジョン受信装置１００の処理動作について図３〜図９を用いて説明する。
【００４６】
図３は、テレビジョン受信装置１００における処理動作を示すフローチャートであり、特に、この場合、録画（記録）ビットレートの設定の処理動作を示している。
【００４７】
図３において、記録ビットレートの設定の処理を開始する場合、まず、ユーザが、リモコン１３０などを用いて、図４に示すタイムシフトマシン録画設定画面３００Ａを表示部１２０に表示させる。そして、ユーザがリモコン１３０を操作して、タイムシフトマシン録画設定画面３００Ａの表示項目から「録画ビットレート設定」の項目３０１を選択する。すると、システムコントローラ１１７は、図５に示す録画ビットレート設定画面３００Ｂを表示部１２０に表示する。そして、ユーザが、リモコン１３０を操作して、録画ビットレート設定画面３００Ｂの表示項目の中から「ジャンル毎の設定」３０２の項目を選択する。
【００４８】
図５の例では、録画ビットレート設定画面３００Ｂは、「ジャンル毎の設定」の項目３０２と、「自動録画ビットレート変更設定」の項目３０３と、「キーワードの設定」の項目３０４と、「ＣＭの録画ビットレート削減設定」の項目３０５とを備えている。録画ビットレート設定画面３００Ｂでは、項目を選択するカーソルが重ねられるボックスに、カーソルが重なった場合、該当する項目名の文字列（例えば、ジャンル毎の設定）が太字で表示されるようになっている。
【００４９】
前述したように「ジャンル毎の設定」の項目３０２が選択されると、ステップＳ１０１において、システムコントローラ１１７は、録画再生部１０５を介して、視聴履歴データ記憶領域１１０Ｃを参照して、ユーザの視聴履歴データを取得する。その後、システムコントローラ１１７は、ジャンル毎の録画ビットレート設定画面３００Ｃ（図６参照）を表示部１２０に表示する（ステップＳ１０２）。
【００５０】
図６のジャンル毎の録画ビットレート設定画面３００Ｃは、ループ録画により記録されるコンテンツを複数のジャンルに分類し、ジャンル毎の記録ビットレートを設定する画面であり、図６の例では、分類した複数のジャンルとして、「ニュース」、「バラエティ」、「ドラマ」、「映画」、「スポーツ」、「アニメ」、「時代劇」などが用意されている。
【００５１】
そして、図６に示すように、ジャンル毎の録画ビットレート設定画面３００Ｃは、「ニュース」項目３０６、「バラエティ」項目３０７、「ドラマ」項目３０８、「映画」項目３０９、「スポーツ」項目３１０、「アニメ」項目３１１および「時代劇」項目３１２を有している。図６の例では、分類したジャンルの種類の一例（７種類）について説明したが、これに限定されず、その他の種類に分類することも可能である。更に、例えば、他の形態としては、「スポーツ」というジャンルを、「野球」、「サッカー」、「テニス」などのように更に細かいジャンルに分類することも可能である。
【００５２】
また、図６に示すように、各項目３０６〜３１２は、それぞれ同様の構成であり、設定される記録ビットレートを表示するビットレート表示項目３１３と、プルダウンボタン（下矢印のマーク）３１４とを有している。
【００５３】
本実施形態では、ユーザが視聴しそうに無い番組の記録ビットレートを低いビットレートにし、他方、ユーザがある程度の画質で視聴するであろう番組の記録ビットレートを高いビットレートにすることで、ＨＤＤ（記録部）１１０の記録領域を有効利用するためにユーザに提示する推奨記録ビットレートを設定することが可能である。
【００５４】
そして、本実施形態では、ジャンル毎の録画ビットレート設定画面３００Ｃを表示する場合、システムコントローラ１１７は、ステップＳ１０１で取得した視聴履歴データに基づき、推奨記録ビットレートを設定している。そして、ジャンル毎の録画ビットレート設定画面３００Ｃを表示する場合には、推奨記録ビットレートが設定されているジャンル（即ち、前述した項目３０６〜３１２のいずれか）に、アスタリスクマーク（＊）３１５が付与されるようになっている。
【００５５】
具体的には、例えば、アスタリスクマーク（＊）３１３は、視聴履歴データに基づいて、ユーザが視聴しそうに無い番組が数多く属するジャンルであるとシステムコントローラ１１７により判定されたジャンルであり、記録の無駄（即ち、ＨＤＤ（記録部）１１０の記録領域を無駄に消費することになる）と思われるジャンルであり、ループ録画の最大記録（録画）可能時間（例えば、３０時間など）を延長するために、記録ビットレートを下げることが好ましいとシステムコントローラ１１７により判定されたジャンルなどに付与される。
【００５６】
ユーザが視聴しそうに無い番組が数多く属するジャンルの特定方法としては、例えば、ステップＳ１０１で取得した視聴履歴データに基づいて、ジャンル毎に、各ジャンルに属する全コンテンツの中で、実際にユーザによって視聴されたコンテンツの割合（数）が所定の（閾値）以下であるかによって決定する方法などが挙げられるが、それ以外の方法で特定するようにしても良い。
【００５７】
前述したのとは異なり、例えば、アスタリスクマーク（＊）３１５を、視聴履歴データに基づいて、ユーザが良く視聴する番組が属するジャンルであると判定されたジャンルなどに付与することも可能である。
【００５８】
なお、本実施形態では、アスタリスクマーク（＊）３１５を使用する形態を示したが、このマークに限定されるものではなく、その他のマークや表示態様を異ならせることでも良いものとする。
【００５９】
また、図６に示すように、システムコントローラ１１７は、リモコン１３０などによってプルダウンボタン３１４が選択されると、図７に示すように、ジャンル毎の録画ビットレート設定画面３００Ｃは、プルダウンメニューにより、選択可能な複数種類の記録ビットレート３１６（図の例では、高ビットレート３１６ａ、標準ビットレート３１６ｂおよび低ビットレート３１６ｃ）を表示する。
【００６０】
なお、ここでいう「標準ビットレート」とは、標準的な画質であると設定された画質で記録可能なビットレートのことである。また、「高ビットレート」とは、「標準ビットレート」より高画質で記録できるものであるが、同一の記録時間で比較すると、標準ビットレートで記録する場合よりもＨＤＤ１１０の記録領域を多く消費してしまうビットレートである。また、「低ビットレート」とは、「標準ビットレート」より低画質で記録できるものであるが、同一の記録時間で比較すると、標準ビットレートで記録する場合よりもＨＤＤ１１０の記録領域の消費量を少なく抑えることが可能なビットレートのことである。
【００６１】
なお、本実施形態では、記録ビットレートを、「高ビットレート」、「標準ビットレート」および「低ビットレート」の３種類である場合について説明したが、これに限定されず、４種類以上とすることも可能である。
【００６２】
そして、本実施形態では、アスタリスクマーク（＊）３１５が付与されているジャンルの項目３０６〜３１２のプルダウンメニューにおいて、ユーザにお奨めする推奨記録ビットレートが他の記録ビットレートと区別できる表示態様（例えば、太字などの強調表示）で表示されるようになっている。図７の例では、「スポーツ」項目３１０のプルダウンメニューにおいて表示される記録ビットレートのうち「低ビットレート」が太字で強調表示されている様子を示している。
【００６３】
そして、ユーザは、リモコン１３０を用いて前述のプルダウンメニューの中から所望の記録ビットレート（推奨記録ビットレートを含む）を選択することが可能である。
【００６４】
図３に戻って、ステップＳ１０３において、システムコントローラ１１７は、ユーザによって、アスタリスクマーク（＊）３１５が付与されているジャンルの項目（３０６〜３１２のいずれか）で、プルダウンメニューにより、その項目（３０６〜３１２のいずれか）の記録ビットレートを推奨記録ビットレート（「低ビットレート」など）に変更する操作が行われたか否かを判定する。
【００６５】
ステップＳ１０３において、推奨記録ビットレートに変更する操作が行われたと判定された場合（ステップＳ１０３：Ｙｅｓ）、システムコントローラ１１７は、該当するジャンルの記録ビットレートを推奨記録ビットレートに変更する（ステップＳ１０４）。続いて、システムコントローラ１１７は、全ての設定が終了したか否かを判定する（ステップＳ１０５）。なお、この判定においては、例えば、システムコントローラ１１７は、ユーザがリモコン１３０を操作して設定の終了を宣言するための終了操作を行ったか否かを判定し、終了操作が行われたと判定した場合に、全ての設定が終了したと判定する。
【００６６】
ステップＳ１０５の判定の結果、設定が終了したと判定した場合（ステップＳ１０５：Ｙｅｓ）、続いて、ステップＳ１０６において、ジャンル毎の記録ビットレートの確定処理を行う。
【００６７】
具体的には、ステップＳ１０６では、ユーザにより推奨記録ビットレートに変更する操作が行われたジャンルの記録ビットレートを推奨記録ビットレート（低ビットレートなど）に確定し、それ以外のジャンルの記録ビットレートは、現在設定されている記録ビットレートまたはジャンル毎の録画ビットレート設定画面３００Ｃでユーザにより指定された記録ビットレートに確定する。
【００６８】
例えば、図６の例では、「ニュース」項目３０６の記録ビットレートの現在の設定値として「低ビットレート」が設定されており、「バラエティ」項目３０７の記録ビットレートの現在の設定値として「標準ビットレート」が設定されており、「映画」項目３０９の記録ビットレートの現在の設定値として「高ビットレート」が設定されている様子を示している。
【００６９】
これにより、テレビジョン受信装置１００のシステムコントローラ１１７では、ステップＳ１０６で設定された記録ビットレートに従って、同一時間帯の複数チャンネル（例えば、６チャネル）のコンテンツ（番組）を同時記録するに際して前述のループ録画（タイムシフトマシン録画）を実行する。
【００７０】
ここで、前記した図３の記録ビットレートの設定処理の具体的な一例について説明しておく。
【００７１】
例えば、ユーザがスポーツの記録ビットレートを推奨記録ビットレートに変更する場合について説明する。
【００７２】
この場合、ステップＳ１０２で表示されるジャンル毎の録画ビットレート設定画面３００Ｃにおいて、ユーザはリモコン１３０を操作して、「スポーツ」項目３１０のプルダウンボタン３１４を選択する。
【００７３】
その後、ユーザは、リモコン１３０を操作して、プルダウンメニューで表示される複数種類の記録ビットレートの中から、太字などで強調表示されている推奨記録ビットレートとしての「低ビットレート」を選択する。これにより、図８に示すように、「スポーツ」項目３１０の記録ビットレートが推奨記録ビットレート「低ビットレート」に変更される。この時、変更された記録ビットレートが推奨記録ビットレートであることをユーザに通知するために変更後の記録ビットレート（「低ビットレート」）を太字などで強調表示している。
【００７４】
また、本実施形態では、いずれかのジャンルの項目（３０６〜３１２）の記録ビットレートが変更されると、ジャンル毎の録画ビットレート設定３００Ｃの画面下部に、記録ビットレートを変更したことにより、ループ録画の最大記録可能時間が変更（特に、延長）されたことをユーザに通知するための情報が表示されるようになっている。
【００７５】
図８の例では、「スポーツ項目」３１０の記録ビットレートが推奨記録ビットレートである「低ビットレート」に変更されたことにより、ループ録画の最大記録可能時間が延長（変更）されたことを通知する情報として、「録画ビットレートを変更することで、○日○時まで録画可能となります。」という推定の最大記録可能時間を通知するためのメッセージ３１７が表示された様子を示している。
【００７６】
なお、テレビジョン受信装置１００では、ジャンル毎の録画ビットレート設定画面３００Ｃでユーザによって設定されたジャンル毎の記録ビットレートおよび番組表に基づいて、ループ録画の記録時間を計算し、該算出した記録時間の情報と、現在日時とに応じて、前述の推定の最大記録可能時間を通知するためのメッセージ３１７を表示する。
【００７７】
なお、図８の例では、推定の最大記録可能時間を通知するためのメッセージとしては、前述した例に限定されず、その他のメッセージであっても良い。例えば、全ジャンルのコンテンツを所定の記録ビットレート（標準ビットレートや、高ビットレートなど）で記録した場合の最大記録可能時間（例えば、「３０時間」）に対して延長可能な時間や短縮される時間をユーザに通知することが可能なメッセージ（例えば、「１時増」や「２時間減」など）などであっても良いものとする。
【００７８】
図９は、ループ録画する前の番組を見る際に使用する現在番組表４００Ａであり、前記した図３のフローチャートで記録ビットレートを変更した番組をユーザに通知するための画面である。
【００７９】
図９に示すように、ユーザによって記録ビットレートが変更された番組を、変更されていない番組の表示態様と異ならせている。図９の例では、変更された番組（「ニュース」および「スポーツ」など）の背景色を、変更されていない番組（「バラエティ」や「ドラマ」など）の背景色（例えば、白色）と異なる背景色（例えば、灰色）に変更している。
【００８０】
以上説明した第１の実施形態によれば、ユーザの視聴履歴に基づいて、そのユーザにとってジャンル別に最適な記録ビットレートを推奨することができるので、ユーザ毎の視聴態様に合わせた最適な記録（録画）方法を提供でき、最大記録可能時間を延ばすなどユーザの使い勝手を向上させることができる。
【００８１】
また、第１の実施形態によれば、ユーザが視聴しそうに無い番組の記録ビットレートを下げることができるので、ユーザにとって記録が無駄と思われる番組に要する記録領域を削減し、ループ録画の最大記録可能時間を延長することができる。
【００８２】
その結果、より古い時間まで過去番組を遡って視聴することが可能となり、視聴しようと思った番組が上書きされて既に存在しない状態となっているなどの問題を軽減することが可能である。
【００８３】
（第２の実施形態）
以下、第２の実施形態について図１０〜図１２を用いて説明する。
【００８４】
第２の実施形態は、前記した第１の実施形態とは異なり、視聴履歴データに基づき、ユーザが視聴していない曜日や時間帯の記録ビットレートを推奨記録ビットレートとしての低ビットレートに変更してループ録画を行うことにより、ループ録画時の記録領域の消費をユーザが実際に視聴する曜日や時間帯に流用することを可能とするものである。
【００８５】
具体的には、図１０に示すように、ユーザは、リモコン１３０を操作して、録画ビットレート設定画面３００Ｂにおいて、「自動録画ビットレート変更設定」項目３０３を選択して「する」にすると、テレビジョン受信装置１００のシステムコントローラ１１７は、視聴履歴データを参照し、ユーザが視聴していない曜日や時間帯の記録ビットレートを低ビットレートに自動的に変更設定する。
【００８６】
例えば、視聴履歴データに基づき、図１１に示すグレー色部分で示す曜日や時間帯がユーザが視聴していない曜日や時間帯と特定できた場合には、システムコントローラ１１７は、前述のようにして特定した曜日や時間帯の記録ビットレートを低ビットレートに自動的に変更設定する。
【００８７】
ただし、第２の実施形態においては、ユーザが視聴していない時間帯の記録ビットレートを低ビットレートに変更する際には、ユーザが視聴していない時間帯に番組の開始から終了までが収まっている番組のみを低ビットレートに変更し、他方、ユーザが視聴していない時間帯に番組の開始から終了までが収まっていない番組の記録ビットレートは低ビットレートに変更せず、例えば、予め設定されている記録ビットレートが適用される。
【００８８】
例えば、図１２に示すように、符号４０１で指し示す時間帯が、ユーザが視聴していない時間帯と特定された時間帯（１０時）であった場合、その時間帯（１０時）に番組の開始から終了が収まっている番組（符合４０２で指し示されている背景色が灰色の番組）の記録ビットレートが低ビットレートに自動的に変更され、一方、前述の時間帯（１０時）に番組の開始から終了が収まっていない番組（符合４０３の斜線で示される番組）の記録ビットレートは予め設定されている記録ビットレートが適用される。
【００８９】
第２の実施形態において、ユーザが視聴していない曜日や時間帯の特定方法としては、例えば、以下の方法が挙げられる。
【００９０】
例えば、ユーザが視聴していない曜日の特定方法としては、視聴履歴データに基づいて、一定期間（一週間や一カ月など）中に、特定の曜日の全コンテンツ（番組）のうち、実際にユーザに視聴されたコンテンツ（番組）の割合が所定の閾値以下であるかによって決定する。
【００９１】
また、ユーザが視聴していない時間帯の特定方法としては、視聴履歴データに基づいて、一定期間（一週間や一カ月など）中に、特定の時間帯のコンテンツ（番組）を視聴した割合が所定の閾値以下であるかによって決定する。
【００９２】
前述した第２の実施形態によれば、ユーザが視聴していない曜日や時間帯の記録ビットレートを低ビットレートに自動的に変更設定してループ録画が行えるため、実効的なループ録画の最大記録可能時間を延長することが可能である。
【００９３】
次に、その他の変形例について説明する。
【００９４】
（第１の変形例）
まず、第１の変形例について説明する。第１の変形例は、第１の実施形態や第２の実施形態における例外設定であり、ユーザにより登録されたキーワードを含む情報を持った番組の記録ビットレートは、第１の実施形態や第２の実施形態における記録ビットレートの変更は禁止し、ユーザによりキーワード登録の際に設定された記録ビットレートでループ録画を行うものである。
【００９５】
具体的には、例えば、録画ビットレート設定画面３００Ｂにおいて、ユーザによってリモコン１３０を操作して「キーワードの設定」の項目３０４が選択されると（図１３参照）、システムコントローラ１１７は、録画ビットレート変更キーワード設定画面３００Ｄ（図１４参照）を表示部１２０に表示する。
【００９６】
続いて、この録画ビットレート変更キーワード設定画面３００Ｄにおいて、ユーザがリモコン１３０を操作して検索対象となるキーワードをキーワード入力欄３１８に入力する。なお、キーワードは、複数個（図１４の例では、３個）入力可能である。その後、ユーザがリモコン１３０を操作して入力したキーワードを含む番組の記録ビットレートを、録画ビットレート設定項目３１９のプルダウンメニューにより選択設定する。録画ビットレート設定項目３１９は、ビットレート表示項目３２０と、プルダウンボタン（下矢印のマーク）３２１とで構成されている。
【００９７】
前述したように、第１の変形例では、キーワード入力欄３１８に入力されたキーワードを含む番組の記録ビットレートは、録画ビットレート設定項目３１９で設定された記録ビットレートで記録される。
【００９８】
この第１の変形例によれば、ユーザが登録したキーワードを含む情報を持った番組の記録ビットレートは、ユーザが所望する記録ビットレートで記録することが可能となる。
【００９９】
（第２の変形例）
次に、第２の変形例について説明する。第２の変形例は、第１の変形例と同様に、第１の実施形態および第２の実施形態と組み合わせて使用可能なものであり、ループ録画の最大記録時間を延長させるために、番組だけでなくコマーシャルメッセージ（ＣＭ）を低ビットレートで記録するものである。
【０１００】
具体的には、ユーザは、録画ビットレート設定画面３００Ｂ（図１５参照）上の「ＣＭの録画ビットレート削減設定」の項目３０５を選択し、プルダウンメニュー（不図示）からＣＭの低ビットレート録画をする／しないのいずれかの選択設定を行う。
【０１０１】
「ＣＭの録画ビットレート削減設定」の項目３０５で「する」に設定すると、ＣＭ部分の記録ビットレートを低ビットレートにて記録を行う。なお、ここでの設定は、全てのチャンネルに反映されるが、チャンネルごとに設定することが可能なようにしても良い。また、ＣＭの記録ビットレートを低ビットレートに変更する時間帯を指定できるようにしても良い。
【０１０２】
この第２の変形例によれば、ＣＭの記録ビットレートが低ビットレートに設定されてループ録画が行われるため、ループ録画の最大記録可能時間を延長することが可能となる。
【０１０３】
次に、番組表の一構成例について説明する。
【０１０４】
図１６は、前述してきた実施形態において設定された録画ビットレートの種類をユーザに通知するための現在番組表４００Ｃの一構成例である。
【０１０５】
なお、図１６の例では、符号４０４の「Ｌ」と、符号４０５の「Ｈ」というマークを用いて、ユーザに番組の記録ビットレートの種類を通知するように構成されている。即ち、符号４０４の「Ｌ」というマークが付与された番組の記録ビットレートが「低ビットレート」であることを示し、他方、符号４０５の「Ｈ」というマークが付与された番組の記録ビットレートが「高ビットレート」であることを示し、「Ｌ」や「Ｈ」などのいずれのマークも付与されていない番組の記録ビットレートが「標準ビットレート」であることを示している。
【０１０６】
このような構成により、ユーザは、いずれの番組がどの種類の記録ビットレートで録画されるのかを容易に確認することができる。
【０１０７】
図１７は、前述してきた実施形態において設定された記録ビットレートの種類をユーザに通知するための過去番組表５００Ａの一構成例である。
【０１０８】
図１７に示すように、過去番組表５００Ａでは、記録ビットレートが低ビットレートで記録された番組（符合５０１参照）については、番組名だけ表示し、番組に関する情報（番組説明）の表示を省略する、しかも、番組名を薄く表示する。なお、図１７の例では、ジャンルが「ニュース」と「スポーツ」の番組が低ビットレートで記録された様子を示している。
【０１０９】
また、過去番組表５００Ａでは、番組を特定するためのカーソル５０２で選択された番組については、前記したように、低ビットレートで記録された番組においても、番組名を通常通り濃く表示し、番組に関する情報（番組説明）の表示も行う。
【０１１０】
更に、過去番組表５００Ａでは、全てのチャンネルにおいて低ビットレートで番組が記録された時間帯（符合５０３参照）（図１７の例では、７時〜８時の時間帯）については、その時間帯の表示を非表示にすることが可能である。なお、前述の時間帯の表示／非表示は、リモコン１３０のメニューボタン（不図示）などから表示有り／無しを設定することが可能である。
【０１１１】
このような構成により、ユーザは、いずれの番組がどの記録ビットレートで記録されたのかを容易に確認することができる。
【０１１２】
以上の実施形態の説明においては、記録品質の例として、記録ビットレートを設定する場合について説明したが、記録品質として、解像度、画素数、階調数、表示色数、単位時間当たりのフレーム数等のように画像品質及び記録容量に影響を与える要素（パラメータ）のいずれかを用い、これらについて設定するように構成することも可能である。記録品質とは、この明細書では記録品位も含むものである。
【０１１３】
以上の実施形態の説明においては、複数のチャンネル（例えば、６チェンネル）のコンテンツ（番組）を同時に記録するループ録画における推奨記録ビットレートの設定について説明したが、これに限定されず、１つのチャンネルのコンテンツを記録するループ録画における推奨記録ビットレートの設定の場合にも適用可能である。
【０１１４】
以上の実施形態の説明においては、ディジタル放送記録装置としてコンテンツデータ記録機能（録画機能）を備えたテレビジョン受信装置を例にとり説明したが、これに限定されるものではない。例えば、ＨＤＤに録画を行うＨＤＤレコーダや、ＨＤＤおよびＤＶＤ（Ｄｉｇｉｔａｌ  Ｖｅｒｓａｔｉｌｅ  Ｄｉｓｃ）に録画を行えるＨＤＤ+ＤＶＤレコーダなどの他のコンテンツデータ記録を行うディジタル放送記録装置にも適用できる。
【０１１５】
また、外部にチューナを接続するチューナ別体型の記録（録画）専用装置であっても適用が可能である。
【０１１６】
本実施形態のディジタル放送記録置は、ＣＰＵなどの制御装置と、ＲＯＭ（Read  Only  Memory）やＲＡＭなどの記憶装置と、ＨＤＤ、ＣＤドライブ装置などの外部記憶装置と、ディスプレイ装置などの表示装置と、キーボードやマウスなどの入力装置を備え、通常のコンピュータを利用したハードウェア構成とすることも可能である。
【０１１７】
この場合において、ディジタル放送記録装置で実行される制御プログラムは、インストール可能な形式又は実行可能な形式のファイルでＣＤ−ＲＯＭ、フレキシブルディスク（ＦＤ）、ＣＤ−Ｒ、ＤＶＤなどのコンピュータで読み取り可能な記録媒体に記録されて提供される。
【０１１８】
また、本実施形態のディジタル放送記録装置で実行される制御プログラムを、インターネット等のネットワークに接続されたコンピュータ上に格納し、ネットワーク経由でダウンロードさせることにより提供するように構成しても良い。また、本実施形態のディジタル放送記録置で実行される制御プログラムをインターネット等のネットワーク経由で提供または配布するように構成しても良い。また、本実施形態の制御プログラムを、ＲＯＭ等に予め組み込んで提供するように構成してもよい。
【０１１９】
また、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２０】
１００…テレビジョン受信装置、１０１…チューナ部、１０１−１〜１０１−Ｎ…チューナ、１０５…録画再生部、１０６…ループ録画部（記録手段）、１０７…ＰＶＲ録画部、１０８…変更部、１０９…再生部、１１０…ＨＤＤ（記憶手段）、１１０Ａ…ループ録画領域、、１１０Ｂ…ＰＶＲ録画領域、１１０Ｃ…視聴履歴データ記憶領域、１１２…ＥＰＧ処理部、１１３…ＥＰＧメモリ、１１４…ＭＰＥＧデコーダ、１１５…表示制御部、１１６…リモコン受信部、１１７…システムコントローラ（取得手段、設定手段、提示手段、登録手段、記録品質設定手段、指定手段、ＣＭ記録品質設定手段）、１２０…表示部、１３０…リモコン。
【図１】
2013016882.tif 000003
【図２】
2013016882.tif 000004
【図３】
2013016882.tif 000005
【図４】
2013016882.tif 000006
【図５】
2013016882.tif 000007
【図６】
2013016882.tif 000008
【図７】
2013016882.tif 000009
【図８】
2013016882.tif 000010
【図９】
2013016882.tif 000011
【図１０】
2013016882.tif 000012
【図１１】
2013016882.tif 000013
【図１２】
2013016882.tif 000014
【図１３】
2013016882.tif 000015
【図１４】
2013016882.tif 000016
【図１５】
2013016882.tif 000017
【図１６】
2013016882.tif 000018
【図１７】
2013016882.tif 000019